(57)【要約】      （修正有）【課題】スーツケースのロックにおいて、開けるのにカギが必要か、或いはカギがなくともコントロールレバーを操作するだけで開けることができるか、の２種の機能を選択することができ、使用において利便性が高いスーツケースの回転ロック構造を提供する。【解決手段】スーツケースの回転ロック構造は、ケース体に固定台１１、殼台１０を設置し、固定台１１中に回転台１５、コントロールレバー１８を組み合わせて設置し、回転台１５中にはロック芯１７を組み合わせて設置し、殼台１０中には駆動ブロック１３、連動板１４、ロックラッチブロック１２を組み合わせて設置し、ロック芯１７をコントロールしてロック状態とでき、この際には、カギを用いなければケース蓋を開けることはできず、また制御して係合定位状態とすることもでき、コントロールレバー１８を回すだけでケース蓋を開けられ、こうして２種の機能を選択して使用でき、使用の利便性を高めることができる。【選択図】図１
0003175850.tif 000002
【実用新案登録請求の範囲】
【請求項１】
スーツケースの回転ロック構造は、ケース体フレーム板の外面に、固定台を組み合わせて設置し、内面に、殼台を組み合わせて設置し、
該殼台中には、ロック定位槽、及び一体に連結する駆動ブロック、連動板、ロックラッチブロックを備え、
該固定台は、貫通孔を備え、回転台を組み合わせて設置し、
該回転台は、連動柱、ロックラッチ板を備え、
該連動柱は、該駆動ブロック、該ロックラッチ板に組み合わさり、該殼台のロック定位槽に挿入し、及び退出させることができ、
該回転台中には、ロック芯を設置し、上方には、コントロールレバーを連接し、
該ロック芯は、連動柱を備え、該ロックラッチ板に連結し、
カギにより該ロック芯を動作させ、これにより該ロックラッチ板はロック、ロック解除効果を達成し、
該ロック芯がロック解除状態にある時には、該コントロールレバーを操作し一定の角度まで回転させれば、該回転台を連動でき、こうして該駆動ブロック、該連動板、該ロックラッチブロックは動作し、該ロックラッチブロックは、該ケース蓋の定位フックに係合し、該定位フックを離脱したことを特徴とするスーツケースの回転ロック構造。
【考案の詳細な説明】
【技術分野】
【０００１】
本考案はスーツケースの回転ロック構造に関し、使用の利便性を高めることができるスーツケースの回転ロック構造に関する。
【背景技術】
【０００２】
従来のスーツケースのロックは、単純に１個のロック芯をケース体に組み合わせたものである。ロック芯は、カギにより伸縮を制御されるロックラッチを備え、ケース蓋に係合して定位し、施錠の目的を達成する。
【０００３】
つまり、従来のスーツケースのロックは、カギを用いなければ、施錠、開放の目的を達成することができない。
そのため、従来のスーツケースのロックは以下の欠点が存在する。
すなわち、ケース蓋を閉めても、施錠する必要がないため施錠していない場合には、施錠していないばかりに、何かの拍子に極めて容易に開けられてしまうことがある。
そのため、不注意で開けられるのを防止するためには、カギを用いてロック状態にしなければならない。
しかし、ケース内の物品をしばしば取り出す必要がある場合には、物品を取り出す度に、カギを用いて開けなければならず、非常に不便である。
本考案は、従来のスーツケースのロック構造の上記した欠点に鑑みてなされたものである。
【先行技術文献】
【特許文献】
【０００４】
【特許文献１】登録実用新案第３０４０７７５号公報
【考案の概要】
【考案が解決しようとする課題】
【０００５】
本考案が解決しようとする課題は、スーツケースのロックにおいて、開けるのにカギが必要か、或いはカギがなくともコントロールレバーを操作するだけで開けることができるか、の２種の機能を選択することができ、使用において利便性が高いスーツケースの回転ロック構造を提供することである。
【課題を解決するための手段】
【０００６】
上記課題を解決するため、本考案は下記のスーツケースの回転ロック構造を提供する。
スーツケースの回転ロック構造は、ロック芯を回転台に設置し、
該回転台は、コントロールレバーを備え、該回転台下方には、殼台を設置し、
該殼台中には、駆動ブロック、連動板、ロックラッチブロックを設置し、
カギにより該ロック芯を制御しロック状態とし、カギがなければ開けることができない設定とし、
また、一時係合状態への設定を選択することができ、この際には、該コントロールレバーを操作して、該回転台を回転させるだけで、該駆動ブロック、該連動板、該ロックラッチブロックを連動して作動させられ、こうして蓋を閉め、係合定位し、或いは係合定位を離脱して開放する機能を実現し、しばしば物品を取り出す場合の利便性を向上させることができる。
【考案の効果】
【０００７】
本考案のスーツケースの回転ロック構造は、スーツケースのロックにおいて、開放にカギが必要か、或いはカギがなくともコントロールレバーを操作するだけで開けることができるか、の２種の機能を選択することができ、使用の利便性を高めることができる。
【図面の簡単な説明】
【０００８】
【図１】本考案の立体分解図である。
【図２】本考案のロック解除状態の側視断面図である。
【図３】本考案のロック状態の側視断面図である。
【図４】本考案の一時的係合定位状態を示す立体図である。
【図５】本考案の一時的係合定位状態を示す正視断面図である。
【図６】本考案において係合定位を解除しケース蓋を開く様子を示す立体図である。
【図７】本考案において係合定位を解除しケース蓋を開く様子を示す正視断面図である。
【考案を実施するための形態】
【０００９】
以下に図面を参照しながら本考案を実施するための最良の形態について詳細に説明する。
【実施例】
【００１０】
図１〜７に示すように、ケース体フレーム板１の外面には、固定台１１を組み合わせて設置し、内面には、殼台１０を組み合わせて設置する。殼台１０中には、ロック定位槽１０１、及び一体に連結する駆動ブロック１３、連動板１４、ロックラッチブロック１２を備える。
【００１１】
固定台１１は、貫通孔１１０を備え、回転台１５を組み合わせて設置する。回転台１５は、連動柱１５０、ロックラッチ板１６を備え、連動柱１５０は、駆動ブロック１３、ロックラッチ板１６に組み合わさり、殼台１０のロック定位槽１０１に挿入し、及び退出させることができる。
【００１２】
回転台１５中には、ロック芯１７を設置し、上方には、コントロールレバー１８を連接する。ロック芯１７は、連動柱１７０を備え、ロックラッチ板１６に連結する。
【００１３】
上記した構造により、以下の作用と効果が達成される。
１、 カギによるロックとロック解除：
図２に示すように、カギにより、ロック芯１７をロック解除状態とする。
この時、ロック芯１７の連動柱１７０により、ロックラッチ板１６は、殼台１０のロック定位槽１０１から退出し、こうして未ロック状態となる。
ロックしようとする場合には、図３に示すように、カギによりロック芯１７を回転させると、連動柱１７０は、ロックラッチ板１６を動作させ、殼台１０のロック定位槽１０１へと挿入させ、こうしてロック状態となる。
この時には、カギを用いなければ、開けることはできない。
【００１４】
２、一時的に係合定位し不注意での開放を防止し、カギを用いなくとも開放可能：
図４、５に示すように、ロック芯１７は未ロック状態である。
この時、回転台１５の連動柱１５０により、ロックラッチブロック１２をケース蓋フレーム板２の定位フック３に係合させる。
これにより、不注意開放を防止でき、この時には、コントロールレバー１８を操作しなければ、開けることはできない。
【００１５】
開ける場合には、図６、７に示すように、コントロールレバー１８を回せば、回転台１５を回すことができ、連動柱１５０により、駆動ブロック１３を回転させ、連動板１４に一定角度の回転を行わせ、ロックラッチブロック１２を後退させることができる。
こうして、ロックラッチブロック１２は、定位フック３への係合を解除し、ケース蓋を開けることができる。
【００１６】
ケース蓋を閉める時には、コントロールレバー１８を反対に回し復位（図４参照）させれば、再度、ロックラッチブロック１２は定位フック３に係合する。
上記した説明に明らかなように、コントロールレバー１８を操作するだけで、開放、不注意開放を防止した状態での閉鎖を達成することができ、カギを使用する必要がなく、使用の利便性が高い。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１  ケース体フレーム板
１０  殼台
１０１  ロック定位槽
１１  固定台
１１０  貫通孔
１２  ロックラッチブロック
１３  駆動ブロック
１４  連動板
１５  回転台
１６  ロックラッチ板
１７  ロック芯
１８  コントロールレバー
１５０、１７０  連動柱
２  ケース蓋フレーム板
３  定位フック                          
【図１】
0003175850.tif 000003
【図２】
0003175850.tif 000004
【図３】
0003175850.tif 000005
【図４】
0003175850.tif 000006
【図５】
0003175850.tif 000007
【図６】
0003175850.tif 000008
【図７】
0003175850.tif 000009